(57)【要約】      （修正有）【課題】庫内が複数の槽に仕切られた可搬型冷蔵庫において、各々の槽の容量が可変可能で、庫内の温度制御がより向上可能な可搬型冷蔵庫を得る。【解決手段】断熱箱６にエバポレータ１４を有する冷凍室３と仕切り板５により区画された冷蔵室４を備えた可搬型冷蔵庫１において、冷凍室３と冷蔵室４に連通する供給流路と戻り路からなる一組の流路構成部材７を断熱箱６の内壁に埋設し、流路構成部材７の流路とファン８による強制循環で冷蔵室４と冷凍室３で適切に温度制御し、脱着可能な仕切り板５により顧客が容量を選択することができる。【選択図】図１
2015108496.tif 000002
【特許請求の範囲】
【請求項１】
断熱箱（６）と当該断熱箱（６）で囲繞された庫内を冷却するためのコンプレッサー（１０）を含む機械室（２）と、前記庫内を前記コンプレッサー（１０）により冷却するエバポレータ（１４）を有する冷凍室（３）と、仕切り板（５）により区画された冷蔵室（４）を備えた可搬型冷蔵庫において、前記冷凍室（３）と前記冷蔵室（４）に連通する一組の流路構成部材（７）を前記断熱箱（６）の内壁に埋設し、一方の前記流路構成部材（７）を前記冷凍室（３）から前記冷蔵室（４）へ冷却風の供給流路とし、他方の前記流路構成部材（７）を前記冷蔵室（４）から前記冷凍室（３）への戻り路として冷却風を循環させ、当該戻り流路の流路構成部材（７）の前記冷蔵室（４）側に冷却風循環用のファン（８）と温度センサー（９）を設けることを特徴とする可搬型冷蔵庫。
【請求項２】
前記断熱箱（６）の内壁に前記仕切り板（５）を脱着可能に固定せしめる複数対の凹部（１３）を設けて、前記冷凍室（３）と前記冷蔵室（４）の体積を可変することを特徴とする請求項１記載の可搬型冷蔵庫。
【請求項３】
前記流路構成部材（７）は、風路部（１５）、前記ファン（８）の電気配線の通路用の壁部（１６）、前記ファン（８）の設置部（１７）、前記温度センサー（９）の固定部（１８）を有し、前記風路部（１５）には前記ファン（８）からの冷却風を導く第１の傾斜面（１５ａ）と第２の傾斜面（１５ｂ）を備える段付構造であることを特徴とする請求項１記載の可搬型冷蔵庫。
【請求項４】
前記仕切り板（５）は、構造体を形成するカバー（２４）、断熱機能を有するインシュレータ（２５）、前記冷凍室（３）と前記冷蔵室（４）間の気密性を保持するガスケット（２６）が一体に構成されることを特徴とする請求項１記載の可搬型冷蔵庫。
【請求項５】
前記ファン（８）は、前記温度センサー（９）が検出する冷蔵室（４）の庫内温度と、予め設定される設定温度とを比較して、前記庫内温度が前記設定温度より高い場合は前記ファン（８）を駆動し、前記庫内温度が前記設定温度より低い場合は前記ファン（８）を停止するよう制御することを特徴とする請求項１記載の可搬型冷蔵庫。
【発明の詳細な説明】
【技術分野】
【０００１】  本発明は、可搬型冷蔵庫、特に庫内が複数の槽に仕切られた冷蔵庫の構造に関する。
【背景技術】
【０００２】  車載又は、携帯用のいわゆる可搬型冷蔵庫は、冷蔵と冷凍の二つの機能を同時に有する市場の要求に鑑み、庫内を仕切り板で分割しているものが知られている（実用公告昭和６４年２１４１号公報）。これはエバポレータが一方の空間内に配されるように庫内を二分割するための仕切り板を設け、ここの仕切り板によって仕切られた二つの空間の内のエバポレータが配される一方の部屋を冷凍室にするとともに、エバポレータが存在しない他方の部屋を冷蔵室としたものである。【０００３】  しかし、このような冷蔵庫は、仕切り板の位置が固定され、冷蔵室と冷凍室の容量を変更することができず顧客のニーズに充分応えられていないのが実情である。また庫内の温度制御はエバポレータが配される冷凍室においてなされており、冷蔵室の温度は直接の制御対象とはされていない。
【先行技術文献】
【特許文献】
【０００４】
【特許文献１】実用新案公告昭和６４−２１４１号公報
【発明の概要】
【発明が解決しようとする課題】
【０００５】  本発明は、かかる課題を解決するため、庫内が複数の槽に仕切られた可搬型冷蔵庫において、各々の槽の容量を変化させることが変可能で、また、冷蔵室の槽でも温度の制御を行うことができる可搬型冷蔵庫を得ることを目的としている。
【課題を解決するための手段】
【０００６】  本発明は、庫内の複数の槽を区画する仕切り板を脱着可能とし、複数の位置で固定できるよう構成して顧客が各槽の容量を選択できるようにし、また、冷蔵室の槽の冷却は、冷凍室の槽からの冷却風の供給側と、冷蔵室の槽から冷凍室の槽への戻し側を設けて、冷蔵室の槽側に送風用のファンと温度センサーによる強制循環の温度制御を行い、各槽で適切な温度制御を可能とすることを最も主要な特徴とする。
【発明の効果】
【０００７】  以上の説明から明らかなように、本発明にあっては次に列挙する効果が得られる。
（１）本発明に係る可搬型冷蔵庫は、冷凍室と冷蔵室に連通する一組の流路構成部材を断熱箱の内壁に埋設し、一方の流路構成部材を冷凍室から冷蔵室へ冷却風の供給流路とし、他方の流路構成部材を冷蔵室から冷凍室への戻り路として冷却風を循環させ、戻り流路の流路構成部材の冷蔵室側に冷却風循環用のファンと温度センサーを設けたので、冷凍室及び冷蔵室の温度の制御性が向上し、被冷凍物及び被冷蔵物の庫内温度変化による品質低下の防止に寄与できる。【０００８】  （２）本発明に係る可搬型冷蔵庫は、断熱箱の内壁に仕切り板を脱着可能に固定せしめる複数対の凹部を設けて、冷凍室と冷蔵室の体積を可変できるので、冷凍と冷蔵の機能を同時に達成しつつ、顧客が各々の使用状態に合わせて冷凍室と冷蔵室の大きさを選択することができる。【０００９】  （３）本発明に係る可搬型冷蔵庫は、流路構成部材は、風路部、ファンの電気配線の通路用の壁部、ファンの設置部、温度センサーの固定部を有し、風路部にはファンからの冷却風を導く第１の傾斜面と第２の傾斜面を備える段付構造であるので、供給側および戻り側流路の共通化及びファンと温度センサー取付け等の構造一体化よるコスト削減、段付き断面構造による埋め込み流路部断熱厚減少の抑制で消費電力の低減、流路中への電気配線の収納構造による電線の埋設化の実現で見栄えの良さの確保し、流路中の仕切り板により電気配線が風路部に干渉し流れを阻害することを防止し、循環流路経路長の確保による被冷却物に対する熱交換効率の向上、流路の埋設による庫内容量の有効利用、各条件に応じた配置の自由度の確保に寄与できる。【００１０】  （４）本発明に係る可搬型冷蔵庫は、仕切り板は、構造体を形成するカバー、断熱機能を有するインシュレータ、冷凍室と冷蔵室間の気密性を保持するガスケットが一体に構成されるので、脱着式の仕切り板の場合でも庫内壁間に生じる隙間を確実に塞ぐことができ、ガスケットに生じる永久ひずみを軽減でき、比較的大きな隙間にも対応でき、ガスケットがが破損した場合でも交換が可能になり、仕切り板の脱着時に必要な力を軽減でき、ガスケット（発泡樹脂）部の熱伝導を抑えることができ、断熱材への水の浸入を防止でき、脱着時のガスケットのズレを防止でき、同一部品を用いることでコストを抑制でき、断熱材の発泡不良を確認でき、仕切り板の変形量を軽減に寄与できる。【００１１】  （５）本発明に係る可搬型冷蔵庫は、ファンは、温度センサーが検出する冷蔵室の庫内温度と、予め設定される設定温度とを比較して、庫内温度が設定温度より高い場合はファンを駆動し、庫内温度が設定温度より低い場合はファンを停止するよう制御するので、ファンの電源を機械室のファン電源と同じにする場合は、新たに専用の電源を設ける必要がなくコストを抑制でき、庫内の冷却風の循環ファン専用の電源を設けることで独立した温度制御が行えるため温度センサーの設定温度による影響が低減され、冷蔵室吹出し口の反対壁面にある吸込み口付近（風路中）に温度センサーを設置することで、計測する温度が庫内の状態に影響を受けにくくなり、風路中に設置された温度センサーと風路の間にファンを設置することでファンが風路を通して生じる温度センサーの熱伝達を軽減し、冷���室内の温度計測を適切に行うことができて制御性が向上し、温度センサーを風路内に収めることで温度センサーを視覚的に覆うことができて見栄えを向上させると共に直接接触することの防止に寄与できる。
【図面の簡単な説明】
【００１２】
【図１】  図１は本発明を適用する可搬型冷蔵庫の一例を示す要部水平断面図である。
【図２】  図２は本発明の流路構成部材の説明図である。
【図３】  図３は本発明の可搬型冷蔵庫の部分斜視図である。
【図４】  図４は図３の図示Ａの部分を拡大した説明図である。
【図５】  図５は本発明の風路についての説明図である。
【図６】  図６は本発明の吸い込みと吹き出しの構造についての説明図である。
【図７】  図７は図６の図示Ｂの部分を拡大した説明図である。
【図８】  図８は本発明の仕切り板の構造の説明図である。
【図９】  図９は本発明の仕切り板と断熱箱の内壁面との接触についての説明図である。
【図１０】  図１０は本発明の温度制御のフローチャートを示す図である。
【発明を実施するための形態】
【００１３】  以下、本発明の好適な実施形態について列記する。
（１）供給側流路と戻り側流路を断熱箱に設置し、供給側流路の冷蔵室側のファンにより冷却風を循環させる。
（２）ファンは冷蔵室の設定温度以上の時に駆動し、冷蔵室内の冷却風を供給側流路を介して冷凍室内に送る。
（３）送られた冷却風は冷凍室で熱交換を行い、戻り側流路を介して冷蔵室内に戻される。
（４）戻された冷却風と冷蔵室内の被冷却物で熱交換を行いながら繰り返す。
（５）冷蔵室内の温度は温度センサーにより検知し、設定温度に到達するとファンが停止する。
（６）冷蔵室内の温度はファンのオンオフにより制御し、冷凍室内の温度はエバポレータに設置した第２の温度センサー検知しコンプレッサーのオンオフで制御する。
（７）庫内の容量は仕切り板の位置を変更することにより２室で２種類、取り外すことで１室にもできる
【実施例】
【００１４】  図１は、本発明を適用する可搬型冷蔵庫の一例を示す要部水平断面図である。可搬型冷蔵庫本体１は、機械室２、冷凍室３、冷蔵室４、仕切り板５、断熱箱６、冷却風の流路構成部材７、冷却風循環用のファン８、温度センサー９から構成されている。【００１５】  機械室２は、冷凍室３、及び冷蔵室４を冷却するためのコンプレッサー１０、電源装置１１、制御装置１２等が収納されている。冷凍室３、及び冷蔵室４は断熱箱６を仕切り板５で区分された被冷蔵物又は被冷凍物を保存収納するための隔屋である。仕切り板５は断熱箱６の内面を複数の凹部１３に差し込まれて脱着可能のように固定される。しかも、複数の凹部１３で仕切りの位置を変えて冷蔵室４と冷凍室３の容量（体積）を顧客が選択できるよう構成される。流路構成部材７は冷凍室３内に設けられるエバポレータ１４で冷却される冷却風を冷蔵室４に導くと共に、ファン８、及び温度センサー９を支持するものであり、断熱箱６に埋設され、また、脱着可能に構成される。【００１６】  図２を参照して流路構成部材７について説明する。、流路構成部材７は、冷却風の供給側、及び戻り側の一組の同一部品で構成され、仕切り板５を跨ぐよう冷凍室３と冷蔵室４を連通させている。流路構成部材７には、風路部１５、ファン８や温度センサー９の電気配線を収納するためのスペースを確保する壁部１６、ファン設置部１７、温度センサー９の固定部１８、接着代１９が設けられている。風路部１５は、ファン設置部１７に設けられるファン８からの冷却風がスムーズに流れるよう第１の傾斜面１５ａ、及び庫内に導くための第２の傾斜面１５ｂを備えた段付構造となっている。また、接着代１９にはねじ固定部１９ａが一体に形成される。更に、壁面風路の配置パターンにより上側（蓋体側）と下側（底側）で使い分けが可能となっており、上部に流路を設置することで作業性（組立、掃除）が向上し、また、冷凍室３から冷蔵室４への流れの場合は冷凍側のより低い温度の空気を冷蔵側のより高い温度側へ吹出すことで効果的に熱交換でき、流路中に設置した冷蔵室４の温度センサー９により冷蔵室４の平均的な温度を測定して制御したい場合などに適用することができる。【００１７】  図３は可搬型冷蔵庫の部分斜視図である。理解を容易にするよう上部の蓋体は図示していない。可搬型冷蔵庫本体１は、庫内を二室に区分する仕切り板５で冷凍室３、及び冷蔵室４に区分され、各々の室内には被冷凍物、又は被冷蔵物を収納するためのバスケット２０が着脱可能に載置されている。図示Ａの部分を拡大したものが、図４でありバスケット２０の固定と風路の庫内からの外観を示している。【００１８】  図５を併せて参照して、冷却風の風路について説明すると、流路構成部材７はクリーニング（清掃）の容易化のため脱着構造となっており、ねじ止め部２１によりエバポレータ１４に固定されている。図６を併せて参照して、冷却風の吸い込みと吹き出しの構造について説明する。矢印は冷却風の流れを示しており、ファン８による冷却風の循環は、冷凍室３側へ設置しても、また冷蔵室４側に設置してもファン８による強制対流による循環で温度が一定に保たれる。これにより、比較的高い静圧が得られる遠心式のファン８を用い��ことで軸流式に比較してサイズを小さくすることが可能となり、容易に流れの向きを変えることができ、仕切り板５からファン８を分離して側壁面に設置することで仕切り板５の脱着が容易になり、側壁面にファン８を設置することで仕切り板５を取り外した場合でもファン８が残り、一室時でも強制循環の効果が得られ、湿った外気が浸入した場合エバポレータ１４で除湿されることができ霜付きを防止でき、ファン８が冷蔵室４側にある場合にはファン８の環境温度が高めに設定できることからヒートショックを軽減でき、上部に設置されているためメンテナンス性に優れる等の効果がある。【００１９】  また、図６における図示Ｂを拡大した説明図が図７である。吸い込み口２２はエバポレータ１４裏側にあたり、吸い込み口２２から吹き出し口２３に冷却風が流れる。これにより、循環経路を長くできるため十分な熱交換が可能となる。また、被冷却物が内部にあっても冷却風が下方に分散して被冷却物に集中せず、必ず被冷却物を通って循環され、被冷却物がない場合と循環経路がほとんど変わらない。【００２０】  図８は仕切り板５の構造を示すものであり、カバー２４、インシュレータ２５、ガスケット２６から構成され、一対のカバー２４とインシュレータ２５をサンドイッチ状に相互にねじ止め等によって一体化されている。カバー２４は、仕切りの構造体形成外郭部品として断熱材およびガスケット２６の固定を担い、インシュレータ２５は、冷凍室３と冷蔵室４間の断熱および構造体（仕切り）の強度向上を担い、ガスケット２６は、冷凍室３と冷蔵室４間の気密性向上として冷蔵庫庫内設置時、及び断熱材への水の浸入防止として仕切り構造体での防水パッキンとしての機能を担っている。これにより、脱着式の仕切りの場合でも庫内壁間に生じる隙間を確実に塞ぐことができ、ガスケット２６に生じる永久ひずみを軽減できて機能を持続可能であり、比較的大きな隙間にも対応でき、交換が可能であり、仕切りの脱着時に必要な力（引き抜き力、差し込み力）を軽減でき、ガスケット２６の熱伝導を抑えることができ、断熱材への水の浸入を防止でき、脱着時のガスケット２６のズレを防止でき、同一部品を用いることで低コストに抑えられ、断熱材の発泡不良を確認でき、仕切り板５の変形量を軽減できる等の効果がある。【００２１】  併せて図９を参照して、仕切り板５が断熱箱６の内壁面との接触について説明すると、製造する際の公差等により発生した隙間はガスケット２６により埋められ、また、隙間の振れはガスケット２６の伸縮で吸収される。【００２２】  図１０は制御装置１０に組み込まれる温度制御のフローチャートである。可搬型冷蔵庫のメインスイッチ（図示せず）がオフ（ＯＦＦ）の場合には冷蔵庫としての機能が停止するが、オン（ＯＮ）の場合には、温度センサー９としてのサーミスタで検出する冷蔵室４の庫内温度θ０と、顧客が設定する冷蔵室４の設定温度θ１とを比較して、θ０がθ１より低い場合には、ファン（Ｆａｎ）８が停止するようにしている。ファン８を駆動する電源は独立しているため、コンプレッサー１０のオンオフに影響を受けず、これにより、ファン８の電源を機械室２を風冷する送風機（図示せず）と同じにする場合は、新たに専用の電源を���ける必要がないためコストを抑制でき、庫内空気循環ファン８専用の電源を設けることで独立した温度制御が行えるため温度設定の影響を受けなくなる効果がを生ずる。
【産業上の利用可能性】
【００２３】  本発明は、可搬型冷蔵庫を製造する産業で利用される。
【符号の説明】
【００２４】  １      可搬型冷蔵庫本体
２      機械室
３      冷凍室
４      冷蔵室
５      仕切り板
６      断熱箱
７      流路構成部材
８      ファン
９      温度センサー
１０    コンプレッサー
１１    電源装置
１２    制御装置
１３    凹部
１４    エバポレータ
１５    風路部
１５ａ  第１の傾斜面
１５ｂ  第２の傾斜面
１６    壁部
１７    ファン設置部
１８    温度センサーの固定部
１９    接着代
１９ａ  ねじ固定部
２０    バスケット
２１    ねじ止め部
２２    吸い込み口
２３    吹き出し口
２４    カバー
２５    インシュレータ
２６    ガスケット
【図１】
2015108496.tif 000003
【図２】
2015108496.tif 000004
【図３】
2015108496.tif 000005
【図４】
2015108496.tif 000006
【図５】
2015108496.tif 000007
【図６】
2015108496.tif 000008
【図７】
2015108496.tif 000009
【図８】
2015108496.tif 000010
【図９】
2015108496.tif 000011
【図１０】
2015108496.tif 000012